(57)【要約】　　　（修正有）【課題】展張シートや換気用シートを押えるバンド状シートを全域に渡って平らに維持して、展張シートや換気用シートの損傷を防止し、外観良好で着脱も容易なシート定着方法の提供。【解決手段】開口部巾狭の支持フレーム１と、支持フレーム１内にスライド自在に挿入した一対の第１、第２のシート押えフレーム２、３と、シート押えフレーム２、３間に嵌合した押圧部材４とでなるシート定着装置Ｆを用意し、シートＳの一部を第１のシート押えフレーム２の水平板部２ｂを介して第２のシート押えフレーム３のガイド溝３ｅ内に嵌合させながら当該シートＳの一側をシート押えフレーム２、３の上面側に導くとともに他側を背面側に導き、上面側に導いたシートＳの一部をシート押えフレーム２、３の側壁２ａ、３ａと押圧部材４とで挟持し、背面側に導いたシートＳの一部を支持フレーム１の内周面と側壁２ａ、３ａの外周面とで挟持することを特徴とするシートの定着方法。【選択図】　　　図１
2004016154.tif 000002
【特許請求の範囲】
【請求項１】
開口部巾狭の支持フレームと、支持フレーム内にスライド自在に挿入した一対の第１、第２のシート押えフレームと、シート押えフレーム間に嵌合した押圧部材とを有し、第１のシート押えフレームが側壁と水平板部とを備え、第２のシート押えフレームが側壁と水平底部とこの水平底部に形成したガイド溝とを備えているシート定着装置を用意し、シートの一部を水平板部を介してガイド溝内に嵌合させながら当該シートの一側をシート押えフレームの上面側に導くとともに他側を背面側に導き、上面側に導いたシートの一部をシート押えフレームの側壁と押圧部材とで挟持し、背面側に導いたシートの一部を支持フレームの内周面と側壁の外周面とで挟持することを特徴とするシートの定着方法。
【請求項２】
開口部巾狭の支持フレームと、支持フレーム内にスライド自在に挿入した一対の第１、第２のシート押えフレームと、シート押えフレーム間に嵌合した押圧部材とを有し、第１および第２のシート押えフレームがそれぞれ、側壁と水平底部とこの水平底部に形成したガイド溝と備えているシート定着装置を用意し、第１のシート押えフレームのガイド溝と第２のシート押えフレームのガイド溝を互い違い噛み合わせて、シートの一部を各ガイド溝内に嵌合させながら当該シートの一側をシート押えフレームの上面側に導くとともに他側を背面側に導き、上面側に導いたシートの一部をシート押えフレームの側壁と押圧部材とで挟持し、背面側に導いたシートの一部を支持フレームの内周面と側壁の外周面とで挟持することを特徴とするシートの定着方法。
【請求項３】
第１、第２のシート押えフレームは、各側壁の上端にカール部を介してそれぞれ水平または彎曲したガイドフレームを備え、上面側に導いたシートがカールの外面に当接しながらガイドフレームの上面に沿って支持され、同じく、背面側に導いたシートがガイドフレームの下面に沿って支持されている請求項１または２に記載のシートの定着方法。
【請求項４】
上面側に導いたシートの一部が第２のシート押えフレームの側壁の内周面と押圧部材とで挟持され、背面側に導いたシートの一部が第１のシート押えフレームの側壁の外周面と支持フレームの内周面とで挟持されている請求項１、２または３に記載のシートの定着方法。
【請求項５】
上面側に導いたシートの一部が第１のシート押えフレームの側壁の内周面と押圧部材とで挟持され、背面側に導いたシートの一部が第２のシート押えフレームの側壁の外周面と支持フレームの内周面とで挟持されている請求項１、２または３に記載のシートの定着方法。
【請求項６】
上面側に導いたシートの一部が第１のシート押えフレームの側壁の内周面と押圧部材とで挟持され、背面側に導いたシートの一部が同じ側壁の外周面と支持フレームの内周面とで挟持されている請求項１、２または３に記載のシートの定着方法。
【請求項７】
上面側に導いたシートの一部が第２のシート押えフレームの側壁の内周面と押圧部材とで挟持され、背面に導いたシートの一部が同じ側壁の外周面と支持フレームの内周面とで挟持されている請求項１、２または３に記載のシートの定着方法。
【請求項８】
シートが、パイプハウスの屋根面、側面または妻面に展張される透明または半透明な合成樹脂シートである請求項１、２、３、４、５、６または７に記載のシートの定着方法。
【請求項９】
シートが、パイプハウスの屋根面または側面に展張される透明または半透明な合成樹脂シートを押えるバンド状シートである請求項１、２、３、４、５、６または７に記載のシートの定着方法。
【請求項１０】
シートが、パイプハウスの屋根面または側面に形成された換気窓を開閉するパイプに巻きつけた換気用シートのロールを押えるバンド状シートである請求項１、２、３、４、５、６または７に記載のシートの定着方法。
【請求項１１】
屋根面または側面に透明または半透明な合成樹脂シートを展張し、同じく屋根面または側面の任意の位置に換気窓を形成し、この換気窓を開閉する換気用シートがパイプに開閉自在に巻きつけられており、上記合成樹脂シートまたは換気用シートを押えるバンド状シートの基端部がシートの定着装置を介して固定されているパイプハウスにおいて、シートの定着装置が開口部巾狭の支持フレームと、支持フレーム内にスライド自在に挿入した一対の第１、第２のシート押えフレームと、シート押えフレーム間に嵌合した押圧部材とを有し、第１のシート押えフレームが側壁と水平板部とを備え、第２のシート押えフレームが側壁と水平低部とこの水平底部に形成したガイド溝とを備えてなり、バンド状シートの一部を水平板部を介してガイド溝内に嵌合させながら当該バンド状シートの一側をシート押えフレームの上面側に導くとともに、他側を背面側に導き、上面側に導いたバンド状シートの一部をシート押えフレームの側壁と押圧部材とで挟持し、背面側に導いたバンド状シートの一部を支持フレームの内周面とシート押えフレームの側壁とで挟持することを特徴とするシートの定着方法。
【請求項１２】
屋根面または側面に透明または半透明な合成樹脂シートを展張し、同じく屋根面または側面の任意の位置に換気窓を形成し、この換気窓を開閉する換気用シートがパイプに開閉自在に巻きつけられており、上記合成樹脂シートまたは換気用シートを押えるバンド状シートの基端部がシートの定着装置を介して固定されているパイプハウスにおいて、シートの定着装置が開口部巾狭の支持フレームと、支持フレーム内にスライド自在に挿入した一対の第１、第２のシート押えフレームと、シート押えフレーム間に嵌合した押圧部材とを有し、第１および第２のシート押えフレームがそれぞれ、側壁と水平底部とこの水平底部に形成したガイド溝と備えてなり、第１のシート押えフレームのガイド溝と第２のシート押えフレームのガイド溝を互い違いに噛み合わせて、バンド状シートの一部を各ガイド溝内に嵌合させながら当該バンド状シートの一側をシート押えフレームの上面側に導くとともに他側を背面側に導き、上面側に導いたバンド状シートの一部をシート押えフレームの側壁と押圧部材とで挟持し、背面側に導いたバンド状シートの一部を支持フレームの内周面と側壁の外周面とで挟持することを特徴とするシートの定着方法。
【発明の詳細な説明】
【０００１】
【発明の属する技術分野】
本発明は、植物を育成する温室たるパイプハウスに展張したシートの定着方法に関し、特に屋根面または側面に展張したシートまたは換気窓を開閉する換気用シートのばたつきを防止するバンド状シートの定着に適するシートの定着方法に関する。
【０００２】
【従来の技術】
一般に植物を育成する温室は、たとえば、アーチ状パイプと直交する蟻溝フレームに係止線条を介して透明または半透明な合成樹脂シートを固定しながら屋根面、側面方は妻面に展張している。
【０００３】
また、屋根面または側面の任意の位置に換気窓を形成し、この換気窓はパイプに巻きつけたシートを巻き上げまたは巻き戻すことにより開閉されるようになっている。
【０００４】
しかし、上記の展張したシートや換気用シートは風雨または振動によってばたつくため、シート拘束用のロープ、ワイヤで押さえ込むようにしているのが普通である。
【０００５】
このシート拘束用のロープ、ワイヤは地上側近傍に設けた屈曲したフック状の番線で端部を固定し、上方に延長した部位で展張シートや換気用シートを押えているが、このロープ、ワイヤは細くて固く、風、振動で揺れるために、長期に使用中に擦れて展張シートや換気用シートを損傷、破断させる恐れがある。
【０００６】
そこで、最近は図９に示すように、蟻溝フレーム２０に弾性的に固定した屈曲した番線８の端部に巾狭の紐やバンド状シート９を結び付け、この紐やバンド状シート９の広い面で上記の展張シートや換気用シートを押さえ込み、両者が擦れてもシートが、損傷したり、破断したりしないとされている方法がある。
【０００７】
【発明が解決しようとする課題】
しかしながら、上記図９に示す、紐やバンド状シート９の固定方法であると、番線８との結び目は、細くてこぶとなり、この細い部分やこぶの部分がどうしても展張シートまたは換気用シートと擦れてしまい、上記と同様な不具合が発生し、使用中には上記の部分も丸まってきてしまい、外観も悪くなる。
【０００８】
さらに、上記のように紐やバンド状シート９を番線８に結びつけるのが面倒であり、手を傷める恐れもある。
【０００９】
そこで、本発明の目的は、展張シートや換気用シートを押えるバンド状シートを全域に亘って常に平らな状態に維持できて、展張シートや換気用シートの損傷、破断を防止し、外観も良好で着脱作業も容易なシートの定着方法を提供することである。
【００１０】
【課題を解決するための手段】
上記した目的を達成するために本発明は、開口部巾狭の支持フレームと、支持フレーム内にスライド自在に挿入した一対の第１、第２のシート押えフレームと、シート押えフレーム間に嵌合した押圧部材とを有し、第１のシート押えフレームが側壁と水平板部とを備え、第２のシート押えフレームが側壁と水平底部とこの水平底部に形成したガイド溝とを備えているシート定着装置を用意し、シートの一部を水平板部を介してガイド溝内に嵌合させながら当該シートの一側をシート押えフレームの上面側に導くとともに他側を背面側に導き、上面側に導いたシートの一部をシート押えフレームの側壁と押圧部材とで挟持し、背面側に導いたシートの一部を支持フレームの内周面と側壁の外周面とで挟持することを特徴とする。
【００１１】
また、開口部巾狭の支持フレームと、支持フレーム内にスライド自在に挿入した一対の第１、第２のシート押えフレームと、シート押えフレーム間に嵌合した押圧部材とを有し、第１および第２のシート押えフレームがそれぞれ、側壁と水平底部とこの水平底部に形成したガイド溝と備えているシート定着装置を用意し、第１のシート押えフレームのガイド溝と第２のシート押えフレームのガイド溝を互い違いに噛み合わせて、シートの一部を各ガイド溝内に嵌合させながら当該シートの一側をシート押えフレームの上面側に導くとともに他側を背面側に導き、上面側に導いたシートの一部をシート押えフレームの側壁と押圧部材とで挟持し、背面側に導いたシートの一部を支持フレームの内周面と側壁の外周面とで挟持することを特徴とする。
【００１２】
より具体的には、第１、第２のシート押えフレームは、各側壁の上端にカール部を介してそれぞれ水平または彎曲したガイドフレームを備え、上面側に導いたシートがカールの外面に当接しながらガイドフレームの上面に沿って支持され、同じく、背面側に導いたシートがガイドフレームの下面に沿って支持されていること特徴とする。
【００１３】
さらに、上面側に導いたシートの一部が第２のシート押えフレームの側壁の内周面と押圧部材とで挟持され、背面側に導いたシートの一部が第１のシート押えフレームの側壁の外周面と支持フレームの内周面とで挟持されていることを特徴とする。
【００１４】
また、上面側に導いたシートの一部が第１のシート押えフレームの側壁の内周面と押圧部材とで挟持され、背面側に導いたシートの一部が第２のシート押えフレームの側壁の外周面と支持フレームの内周面とで挟持されていることを特徴とする。
【００１５】
そして、上面側に導いたシートの一部が第１のシート押えフレームの側壁の内周面と押圧部材とで挟持され、背面側に導いたシートの一部が同じ側壁の外周面と支持フレームの内周面とで挟持されていることを特徴とする。
【００１６】
そしてまた、上面側に導いたシートの一部が第２のシート押えフレームの側壁の内周面と押圧部材とで挟持され、背面に導いたシートの一部が同じ側壁の外周面と支持フレームの内周面とで挟持されていることを特徴とする。
【００１７】
さらに、シートが、パイプハウスの屋根面、側面または妻面に展張される透明または半透明な合成樹脂シートであることを特徴とする。
【００１８】
またさらに、シートが、パイプハウスの屋根面または側面に展張される透明または半透明な合成樹脂シートを押えるバンド状シートであることを特徴とする。
【００１９】
そしてさらに、シートが、パイプハウスの屋根面または側面に形成された換気窓を開閉するパイプに巻きつけた換気用シートのロールを押えるバンド状シートであることを特徴とする。
【００２０】
また、屋根面または側面に透明または半透明な合成樹脂シートを展張し、同じく屋根面または側面の任意の位置に換気窓を形成し、この換気窓を開閉する換気用シートがパイプに開閉自在に巻きつけられており、上記合成樹脂シートまたは換気用シートを押えるバンド状シートの基端部がシートの定着装置を介して固定されているパイプハウスにおいて、シートの定着装置が開口部巾狭の支持フレームと、支持フレーム内にスライド自在に挿入した一対の第１、第２のシート押えフレームと、シート押えフレーム間に嵌合した押圧部材とを有し、第１のシート押えフレームが側壁と水平板部とを備え、第２のシート押えフレームが側壁と水平低部とこの水平底部に形成したガイド溝とを備えてなり、バンド状シートの一部を水平板部を介してガイド溝内に嵌合させながら当該バンド状シートの一側をシート押えフレームの上面側に導くとともに、他側を背面側に導き、上面側に導いたバンド状シートの一部をシート押えフレームの側壁と押圧部材とで挟持し、背面側に導いたバンド状シートの一部を支持フレームの内周面とシート押えフレームの側壁とで挟持することを特徴とする。
【００２１】
そしてまた、屋根面または側面に透明または半透明な合成樹脂シートを展張し、同じく屋根面または側面の任意の位置に換気窓を形成し、この換気窓を開閉する換気用シートがパイプに開閉自在に巻きつけられており、上記合成樹脂シートまたは換気用シートを押えるバンド状シートの基端部がシートの定着装置を介して固定されているパイプハウスにおいて、シートの定着装置が開口部巾狭の支持フレームと、支持フレーム内にスライド自在に挿入した一対の第１、第２のシート押えフレームと、シート押えフレーム間に嵌合した押圧部材とを有し、第１および第２のシート押えフレームがそれぞれ、側壁と水平底部とこの水平底部に形成したガイド溝と備えてなり、第１のシート押えフレームのガイド溝と第２のシート押えフレームのガイド溝を互い違いに噛み合わせて、バンド状シートの一部を各ガイド溝内に嵌合させながら当該バンド状シートの一側をシート押えフレームの上面側に導くとともに他側を背面側に導き、上面側に導いたバンド状シートの一部をシート押えフレームの側壁と押圧部材とで挟持し、背面側に導いたバンド状シートの一部を支持フレームの内周面と側壁の外周面とで挟持することを特徴とするシートの定着方法。
【００２２】
【発明の実施の形態】
本発明の実施の形態を、図面に即して説明する。
【００２３】
以下、説明の都合上、本発明を農業用のパイプハウスの屋根面、側面または妻面に展張されるシートを定着する場面、および前記シートが風等に起因してばたつくのを防止するために使用されるバンド状シートを定着する場面を想定して説明するが、本発明の構成上、たとえば、遮光シートや防虫ネット等のほか、他のシートやバンド状シートに使用可能なことは、当然である。
【００２４】
本発明の実施の形態は、図１に示す第１の実施の形態と、図２に示す第２の実施の形態と、図３に示す第３の実施の形態と、図４に示す第４の実施の形態と、図５に示す第５の実施の形態がある。
【００２５】
第１の実施の形態に係る方法は、開口部巾狭の支持フレーム１と、第１のシート押えフレーム２と、第２のシート押えフレーム３と、押圧部材たる係止線条４とで構成される定着装置を使用する。支持フレーム１は、蟻溝フレームの他Ｃ型チャンネルであっても良い。
【００２６】
以下、詳細に説明する。
【００２７】
支持フレーム１は、鳩尾状の溝を備え、上端は内側に向けて折り曲げられた断面略蟻溝状のフレームであり、上記溝内に、各シート押えフレーム２、３がスライド自在に挿入される。
【００２８】
第１のシート押えフレーム２は、水平板部２ｂと、水平板部２ｂから内側に傾斜して立ち上がる側壁２ａと、側壁２ａから延設されるカール部２ｃと、カール部２ｃに連設する水平なガイドフレーム２ｂとにより構成される。
【００２９】
他方、第２のシート押えフレーム３は、水平底部３ｂと、水平底部３ｂから内側に傾斜して立ち上がる側壁３ａと、側壁３ａから延設されるカール部３ｃと、カール部３ｃに連設する水平なガイドフレーム３ｄと、水平底部３ｂに設けられたガイド溝３ｅとにより構成されている。
【００３０】
そして、第２のシート押えフレーム３のガイド溝３ｅ内に、第１のシート押えフレーム２の水平板部２ｂを挿入しておくことにより、二つのシート押えフレーム２、３の横幅は支持フレーム１の開口部および底部の横幅寸法より小さくされて、支持フレーム１内にスライド自在に挿入可能である。
【００３１】
すなわち、バンド状シートＢまたはシートＳを定着するには、図１に示すように、まずバンド状シートＢまたはシートＳを第１のシート押えフレーム２の水平板部２ｂと第２のシート押えフレーム３の水平底部３ｂとで、挟み込むことによりバンド状シートＢまたはシートＳが第２のシート押えフレーム３のガイド溝３ｅに入り込み、折り畳まれる。
【００３２】
つぎに、上記のようにバンド状シートＢまたはシートＳが折り畳まれ、且つ上記各シート押えフレーム２、３に挟み込まれながら支持フレーム１の蟻溝内に挿入される。
【００３３】
このとき、バンド状シートＢまたはシートＳの一方側を第１のシート押えフレーム２と支持フレーム１の内周で挟持する様に挿入する。
【００３４】
そして、上記各シート押えフレーム２、３との間に、係止線条４が自己の弾性に抗して強制的に嵌合するが、バンド状シートＢまたはシートＳの他方側を第１のシート押えフレーム２の内周に沿わせて、バンド状シートＢまたはシートＳを第１のシート押えフレーム２と係止線条４とで挟持するようにする。
【００３５】
すると、この係止線条４が第１のシート押えフレーム２とバンド状シートＢまたはシートＳとを支持フレーム１の内周方向に向って押圧するとともに、第２のシート押えフレーム３を支持フレーム１の内周方向に向って押圧することとなる。
【００３６】
これにより、各シート押えフレーム２、３がガイド溝３ｅに案内されながら水平にスライドし、支持フレーム１の内周に押し付けられ、結果的にバンド状シートＢまたはシートＳは、支持フレーム１の内周面１ａと第１のシート押えフレーム２の側壁２ａの外周面との間と、第１のシート押えフレーム２の水平板部２ｂと第２のシート押えフレーム３のガイド溝３ｅとの間、および第１のシート押えフレーム２の側壁２ａの内周面と係止線条４との間の３点で挟持され、定着される。
【００３７】
なお、第１のシート押えフレーム２の上部にカール部２ｃが設けられているので、シートＳまたはバンド状シートＢが支持フレーム１の内周面と第１のシート押えフレーム２の側壁２ａの外周面との間に挟持された時にシートＳまたはバンド状シートＢを傷つけることが防止されている。
【００３８】
上記のように、バンド状シートＢまたはシートＳが定着装置に定着されたときの作用について説明する。
【００３９】
バンド状シートＢまたはシートＳの一方側から引張力が負荷されると、定着装置から、抜けようとする。
【００４０】
しかし、バンド状シートＢまたはシートＳは、その先で、第１のシート押えフレーム２の水平板部２ｂおよび第２のシート押えフレーム３のガイド溝３ｅにより折り曲げられながら挟持され、かつ、係止線条４と第１のシート押えフレーム２によって挟持されているので、上記各シート押えフレーム２、３の間隔を広げる方向に力が加わることとなる。
【００４１】
すると、第１のシート押えフレーム２と支持フレーム１との間に挟持されているバンド状シートＢまたはシートＳに負荷される圧力が高まり、摩擦力が大きくなる。
【００４２】
したがって、摩擦力が大きくなるので、引張力に耐え、定着状態を保持可能となる。
【００４３】
さらに、単にフック状の番線に結びつけたような従来の定着方法にくらべ、本発明では上述のように３点で挟持しており、この点でもより大きな引張力に耐えうることは明らかである。
【００４４】
また、取り外す際は、係止線条４を取り除き、各シート押えフレーム２、３をガイド溝３ｅに沿って、圧縮しつつ、支持フレーム１の上方あるいは長手方向にスライドさせながら支持フレーム１内から取り出し、各シート押えフレーム２、３を分離すれば、バンド状シートＢまたはシートＳが解放される。
【００４５】
したがって、取り外しも簡易に行える。
【００４６】
なお、上記各実施の形態において、係止手段としては各シート押えフレーム２、３を両側に付勢するものであればなんでも使用可能であるが、たとえば、上記係止線条４の替わりに係止板を挿入して各シート押えフレーム２、３を支持フレーム１へ向けて付勢しても良いし、山形状もしくは波形状の板バネ等を使用してもよい。
【００４７】
つぎに、第２の実施の形態について説明する。
【００４８】
支持フレーム１、各シート押えフレーム２、３は第１の実施の形態で説明したものと同一形状であるので説明を省略する。
【００４９】
第２の実施の形態の定着方法では、図２に示すように、まずバンド状シートＢまたはシートＳを第１のシート押えフレーム２の水平板部２ｂと第２のシート押えフレーム３の水平底部３ｂとで、挟み込むことによりバンド状シートＢまたはシートＳが第２のシート押えフレーム３のガイド溝３ｅに入り込み、折り畳まれる。
【００５０】
つぎに、上記のようにバンド状シートＢまたはシートＳが折り畳まれ、且つ上記各シート押えフレーム２、３に挟み込まれながら支持フレーム１の蟻溝内に挿入される。
【００５１】
このとき、バンド状シートＢまたはシートＳの一方側を第１のシート押えフレーム２と支持フレーム１の内周で挟持する様に挿入する。
【００５２】
そして、上記各シート押えフレーム２、３との間に、係止線条４が自己の弾性に抗して強制的に嵌合するが、バンド状シートＢまたはシートＳの他方側を第２のシート押えフレーム３の内周に沿わせて、バンド状シートＢまたはシートＳを第２のシート押えフレーム３と係止線条４とで挟持するようにする。
【００５３】
すると、この係止線条４が第２のシート押えフレーム３とバンド状シートＢまたはシートＳとを支持フレーム１の内周方向に向って押圧するとともに、第１のシート押えフレーム２を支持フレーム１の内周方向に向って押圧することとなる。
【００５４】
これにより、各シート押えフレーム２、３がガイド溝３ｅに案内されながら水平にスライドし、支持フレーム１の内周に押し付けられ、結果的にバンド状シートＢまたはシートＳは、支持フレーム１と第１のシート押えフレーム２との間と、第１のシート押えフレーム２の水平板部２ｂと第２のシート押えフレーム３のガイド溝３ｅとの間、および第２のシート押えフレーム３と係止線条４との間の３点で挟持され、定着される。
【００５５】
上記のように、バンド状シートＢまたはシートＳが定着装置に定着されたときの作用については、第１の実施の形態で説明した作用と同様であるので説明を省略する。
【００５６】
さらに、第３の実施の形態について説明する。
【００５７】
支持フレーム１、各シート押えフレーム２、３は第１の実施の形態で説明したものと同一形状であるので説明を省略する。
【００５８】
第３の実施の形態の定着方法では、図３に示すように、まずバンド状シートＢまたはシートＳを第１のシート押えフレーム２の水平板部２ｂと第２のシート押えフレーム３の水平底部３ｂとで、挟み込むことによりバンド状シートＢまたはシートＳが第２のシート押えフレーム３のガイド溝３ｅに入り込み、折り畳まれる。
【００５９】
つぎに、上記のようにバンド状シートＢまたはシートＳが折り畳まれ、且つ上記各シート押えフレーム２、３に挟み込まれながら支持フレーム１の蟻溝内に挿入される。
【００６０】
このとき、バンド状シートＢまたはシートＳの一方側を第２のシート押えフレーム３と支持フレーム１の内周で挟持する様に挿入する。
【００６１】
そして、上記各シート押えフレーム２、３との間に、係止線条４が自己の弾性に抗して強制的に嵌合するが、バンド状シートＢまたはシートＳの他方側を第１のシート押えフレーム２の内周に沿わせて、バンド状シートＢまたはシートＳを第１のシート押えフレーム２と係止線条４とで挟持するようにする。
【００６２】
すると、この係止線条４が第１のシート押えフレーム２とバンド状シートＢまたはシートＳとを支持フレーム１の内周方向に向って押圧するとともに、第２のシート押えフレーム３を支持フレーム１の内周方向に向って押圧することとなる。
【００６３】
これにより、各シート押えフレーム２、３がガイド溝３ｅに案内されながら水平にスライドし、支持フレーム１の内周に押し付けられ、結果的にバンド状シートＢまたはシートＳは、支持フレーム１と第２のシート押えフレーム３との間と、第１のシート押えフレーム２の水平板部２ｂと第２のシート押えフレーム３のガイド溝３ｅとの間、および第１のシート押えフレーム２と係止線条４との間の３点で挟持され、定着される。
【００６４】
上記のように、バンド状シートＢまたはシートＳが定着装置に定着されたときの作用については、第１の実施の形態で説明した作用と同様であるので説明を省略する。
【００６５】
そして、さらに、第４の実施の形態について説明する。
【００６６】
支持フレーム１、各シート押えフレーム２、３は第１の実施の形態で説明したものと同一形状であるので説明を省略する。
【００６７】
第４の実施の形態の定着方法では、図４に示すように、まずバンド状シートＢまたはシートＳを第１のシート押えフレーム２の水平板部２ｂと第２のシート押えフレーム３の水平底部３ｂとで、挟み込むことによりバンド状シートＢまたはシートＳが第２のシート押えフレーム３のガイド溝３ｅに入り込み、折り畳まれる。
【００６８】
つぎに、上記のようにバンド状シートＢまたはシートＳが折り畳まれ、且つ上記各シート押えフレーム２、３に挟み込まれながら支持フレーム１の蟻溝内に挿入される。
【００６９】
このとき、バンド状シートＢまたはシートＳの一方側を第２のシート押えフレーム３と支持フレーム１の内周で挟持する様に挿入する。
【００７０】
そして、上記各シート押えフレーム２、３との間に、係止線条４が自己の弾性に抗して強制的に嵌合するが、バンド状シートＢまたはシートＳの他方側を第２のシート押えフレーム２の内周に沿わせて、バンド状シートＢまたはシートＳを第２のシート押えフレーム３と係止線条４とで挟持するようにする。
【００７１】
すなわち、第４の実施の形態では、バンド状シートＢまたはシートＳが、支持フレーム１内で２回折り畳まれることになる。
【００７２】
すると、この係止線条４が第２のシート押えフレーム３とバンド状シートＢまたはシートＳとを支持フレーム１の内周方向に向って押圧するとともに、第１のシート押えフレーム２を支持フレーム１の内周方向に向って押圧することとなる。
【００７３】
これにより、各シート押えフレーム２、３がガイド溝３ｅに案内されながら水平にスライドし、支持フレーム１の内周に押し付けられ、結果的にバンド状シートＢまたはシートＳは、支持フレーム１と第２のシート押えフレーム３との間と、第１のシート押えフレーム２の水平板部２ｂと第２のシート押えフレーム３のガイド溝３ｅとの間、および第２のシート押えフレーム３と係止線条４との間の３点で挟持され、定着される。
【００７４】
上記のように、バンド状シートＢまたはシートＳが定着装置に定着されたときの作用については、第１の実施の形態で説明した作用と同様であるので説明を省略する。
【００７５】
つづいて、第５の実施の形態について説明する。
【００７６】
第５の実施の形態に係る方法は、図５に示すように、開口部巾狭の支持フレーム１と、第１のシート押えフレーム１１と、第２のシート押えフレーム１２と、押圧部材たる係止線条４とで構成される定着装置を使用する。支持フレーム１は、蟻溝フレームの他Ｃ型チャンネルであっても良い。
【００７７】
以下、詳細に説明する。
【００７８】
支持フレーム１は、第１の実施の形態同様に、鳩尾状の溝を備え、上端は内側に向けて折り曲げられた断面略蟻溝状のフレームであり、上記溝内に、各シート押えフレーム１１、１２がスライド自在に挿入される。
【００７９】
第１のシート押えフレーム１１は、水平底部１１ｂと、水平底部１１ｂから内側に傾斜して立ち上がる側壁１１ａ、側壁１１ａから延設されるカール部１１ｃと、カール部１１ｃに連設する水平なガイドフレーム１１ｄと、水平底部１１ｂに設けられたガイド溝１１ｅとにより構成されている。
【００８０】
他方、第２のシート押えフレーム１２は、第１のシート押えフレーム同様の形状をしており、水平底部１２ｂと、水平底部１２ｂから内側に傾斜して立ち上がる側壁１２ａと、側壁１２ａから延設されるカール部１２ｃと、カール部１２ｃに連設する水平なガイドフレーム１２ｄと、水平底部１２ｂに設けられたガイド溝１２ｅとにより構成されている。
【００８１】
そして、第１のシート押えフレーム１１のガイド溝１１ｅと第２のシート押えフレーム１２のガイド溝１２ｅが互い違いに差し込んで噛み合わされるように嵌合されることにより、二つのシート押えフレーム１１、１２の横幅は支持フレーム１の開口部および底部の横幅寸法より小さくされて、支持フレーム１内にスライド自在に挿入可能である。
【００８２】
すなわち、バンド状シートＢまたはシートＳを定着するには、図５に示すように、まずバンド状シートＢまたはシートＳを第１のシート押えフレーム１１のガイド溝１１ｅと第２のシート押えフレーム１２のガイド溝１２ｅとで、挟み込むことによりバンド状シートＢまたはシートＳが各シート押えフレーム１１、１２のガイド溝１１ｅ、１２ｅに入り込み、折り畳まれる。
【００８３】
つぎに、上記のようにバンド状シートＢまたはシートＳが折り畳まれ、且つ上記各シート押えフレーム１１、１２に挟み込まれながら支持フレーム１の蟻溝内に挿入される。
【００８４】
このとき、バンド状シートＢまたはシートＳの一方側を第１のシート押えフレーム１１と支持フレーム１の内周で挟持する様に挿入する。
【００８５】
そして、上記各シート押えフレーム１１、１２との間に、係止線条４が自己の弾性に抗して強制的に嵌合するが、バンド状シートＢまたはシートＳの他方側を第２のシート押えフレーム１２の内周に沿わせて、バンド状シートＢまたはシートＳを第１のシート押えフレーム２と係止線条４とで挟持するようにする。
【００８６】
すると、この係止線条４が第２のシート押えフレーム１２とバンド状シートＢまたはシートＳとを支持フレーム１の内周方向に向って押圧するとともに、第１のシート押えフレーム１１を支持フレーム１の内周方向に向って押圧することとなる。
【００８７】
これにより、各シート押えフレーム１１、１２がガイド溝１１ｅ、１２ｅに案内されながら水平にスライドし、支持フレーム１の内周に押し付けられ、結果的にバンド状シートＢまたはシートＳは、支持フレーム１の内周面１ａと第１のシート押えフレーム１１の側壁１１ａの外周面との間と、第１のシート押えフレーム１１のガイド溝１１ｅと第２のシート押えフレーム１２の水平底部１２ｂとの間と、第１のシート押えフレーム１１の水平底部１１ｂと第２のシート押えフレーム１２のガイド溝１２ｅとの間と、および第２のシート押えフレーム１２の側壁１２ａの内周面と係止線条４との間の４点で挟持され、定着される。
【００８８】
なお、シート押えフレーム１１、１２の上面側に導かれるバンド状シートＢまたはシートＳを第１のシート押えフレーム１１の側壁１１ａの内周面と係止線条４で挟持しても良く、また、シート押えフレーム１１、１２の背面側に導かれるバンド状シートＢまたはシートＳについても、各シート押えフレーム１１、１２の側壁１１ａ、１１ｂの外周面のどちらか一方と支持フレーム１の内周面１ａとで挟持することによっても良い。
【００８９】
また、第１のシート押えフレーム１１の上部にカール部１１ｃが設けられているので、シートＳまたはバンド状シートＢが支持フレーム１の内周面と第１のシート押えフレーム１１の側壁１１ａの外周面との間に挟持された時にシートＳまたはバンド状シートＢを傷つけることが防止されている。
【００９０】
上記のように、バンド状シートＢまたはシートＳが定着装置に定着されたときの作用について説明する。
【００９１】
上記のように、バンド状シートＢまたはシートＳが定着装置に定着されたときの作用については、第１の実施の形態で説明した作用と同様であるので説明を省略する。
【００９２】
上記した各定着方法は、たとえば、図６、図７、図８に示すような農業用等のパイプハウスに使用される。
【００９３】
図６に示すように、定着装置は、たとえば、農業用等のパイプハウスの下方のパイプＰに固定して使用される。
【００９４】
まず、支持フレーム１をパイプＰに螺子等の固定手段により、固定しておいてから、シートＳを上記定着方法によって定着して、農業用等のパイプハウスに展張する。
【００９５】
シートＳは、たとえば、図７に示すように、パイプハウスの屋根面、側面または妻面の各骨組みＲに展張される。
【００９６】
つぎに、シートＳの風雨、振動によるばたつきを防止するためのバンド状シートＢをシートＳの展張後にシートＳの上面を押えるように上記定着方法により定着する。
【００９７】
このとき、バンド状シートＢは、定着装置に定着する際にその端部等を細くせずそのままの巾で定着可能であり、バンド状シートＢの全域に亘り常に平らな状態に維持できるので、従来例のように、シートＳの損傷や破断といった弊害を防止できる。
【００９８】
また、シートＳまたはバンド状シートＢにしわがよることが無いので、外観が良好である。
【００９９】
さらに、上記のように、シートＳが展張された場合、シートＳに風等による引張力が負荷されても、上述のように、シートＳは強固に定着されているので、定着装置ＦからシートＳが抜けることなく、定着状態を保持することができる。
【０１００】
図７は、定着装置Ｆを農業用等のパイプハウスの側面下部に固定した状態の斜視図であるが、この場合には、バンド状シートＢを定着装置Ｆに上記方法によりバンド状シートＢは強固に定着され、緩まないので、農業用等のパイプハウスの換気窓を開閉する換気用シートＴをロッド６に巻きつけたロールＱを保持するために使用することができ、また、バンド状シートＢの全域に亘り常に平らな状態に維持できるので、従来例のように、換気用シートＴの損傷や破断といった弊害を防止できる。
【０１０１】
図８は、定着装置Ｆを農業用等のパイプハウスの側面上部に固定した状態における斜視図であるが、この場合には、バンド状シートＢ１の一端が、換気用シートＴが巻きつけられたロッド６の一端に巻き付けられており、他端は、上記定着装置Ｆによりパイプハウスに定着されている。
【０１０２】
他方、バンド状シートＢ２は、やはり一端が上記ロッド６の一端に巻きつけられ、他端がバネ１５により下方に付勢されながらパイプハウスに定着装置Ｆを介して上記定着方法により定着されている。
【０１０３】
上記各バンド状シートＢ１、Ｂ２は、ロッド６の回転による換気用シートＴが開閉動作を安定させ、かつ、換気用シートＴの風や振動によるばたつきを防止するために使用されている。
【０１０４】
このようなバンド状シートＢ１、Ｂ２の定着に際しても、本発明による定着方法は、バンド状シートＢ１、Ｂ２を強固に定着せしめることが可能であるから、バンド状シートＢ１、Ｂ２は緩まず、かつ、抜ける心配が無く、換気用シートＴのばたつきも効果的に防止できる。
【０１０５】
【発明の効果】
本発明によれば以下の効果がある。
【０１０６】
各請求項の発明によれば、支持フレームと第１および第２のシート押えフレームと押圧部材を用いてシートを定着しているから、以下の効果がある。
【０１０７】
シートの着脱が容易である。
【０１０８】
さらに、シートにしわが寄らず外観が良好である。
【０１０９】
また、支持フレームのガイド溝内でシートを折り曲げて定着させているので、シートがガイド溝と水平板部とで強固に保持され、摩擦力も増大するから、効果的にシートを定着することが可能である。
【０１１０】
したがって、シートに大きな張力が負荷されても、シートが定着装置から抜けることなく、強固に定着状態を保つことが可能である。
【０１１１】
また、請求項３から１０に記載の発明によれば、各シート押えフレーム上部にカール部を設けているから、シートを定着装置に定着するときにシートを傷つけることが防止される。
【０１１２】
また、請求項８から１２の発明によれば、上述のように強固にシートを定着させるので、特に、農業用等のハウスの屋根、側面または妻面に展張される透明または半透明の合成樹脂製シートの定着に具現化した場合に効果がある。
【０１１３】
また、請求項９から１２に記載の発明によれば、従来の定着方法のようにバンド状シートを細く捩じって定着させる必要が無いので、バンド状シートがひも状にならず、バンド状シートの全域に亘り常に平らな状態に維持できるので、従来例のように、シートＳの損傷や破断といった弊害を防止できる。
【図面の簡単な説明】
【図１】本発明の第１の実施の形態におけるシートの定着方法でシートを定着装置に定着させた状態における定着装置の断面図である。
【図２】本発明の第２の実施の形態におけるシートの定着方法でシートを定着装置に定着させた状態における定着装置の断面図である。
【図３】本発明の第３の実施の形態におけるシートの定着方法でシートを定着装置に定着させた状態における定着装置の断面図である。
【図４】本発明の第４の実施の形態におけるシートの定着方法でシートを定着装置に定着させた状態における定着装置の断面図である。
【図５】本発明の第５の実施の形態におけるシートの定着方法でシートを定着装置に定着させた状態における定着装置の断面図である。
【図６】定着装置を農業用等のハウスの側面下部のパイプに取付けた状態における拡大斜視図である。
【図７】定着装置を農業用等のハウスの側面下部のパイプに取付け、バンド状シートを定着させた状態における斜視図である。
【図８】定着装置を農業用等のハウスの側面下部のパイプに取付け、バンド状シートを定着させた状態における斜視図である。
【図９】従来のバンド状シートの定着方法を示した斜視図である。
【符号の説明】
１　　支持フレーム
１ａ　支持フレームの内周面
２、１１　　第１のシート押えフレーム
２ａ、３ａ、１１ａ、１２ａ　側壁
２ｂ　水平板部
２ｃ、３ｃ、１１ｃ、１２ｃ　カール部
２ｄ、３ｄ、１１ｄ、１２ｄ　ガイドフレーム
３、１２　　第２のシート押えフレーム
３ｂ、１１ｂ、１２ｂ　水平底部
３ｅ、１１ｅ、１２ｅ　ガイド溝
４　　係止線条
Ｆ　　シート定着装置
Ｂ、Ｂ１、Ｂ２　　バンド状シート
Ｓ　　シート
Ｔ　　換気用シート
Ｑ　　ロール
【図１】
2004016154.tif 000003
【図２】
2004016154.tif 000004
【図３】
2004016154.tif 000005
【図４】
2004016154.tif 000006
【図５】
2004016154.tif 000007
【図６】
2004016154.tif 000008
【図７】
2004016154.tif 000009
【図８】
2004016154.tif 000010
【図９】
2004016154.tif 000011